(57)【要約】【課題】  副映像として字幕が含まれる映像を再生し、これをディスプレイに表示する際に、映像が明る過ぎて見辛くならないようにディスプレイの輝度又はディスプレイに表示される映像の輝度を下げる場合でも、字幕を見易くできるビデオ再生装置及びビデオ再生方法を提供する。【解決手段】  主映像データと副映像データとが記録され媒体を再生し、主映像と共に副映像を表示系デバイス２に表示するビデオ再生装置であって、表示系デバイス２の画面の輝度を下げる減光指示又は表示系デバイス２に入力される映像データへの減光指示を検出するシステムコントローラ３０と、システムコントローラ３０によって減光指示が検出されたときに、主映像の輝度と副映像の輝度とを個別に調整する輝度レベル調整部１とを備え、例えば副映像以外の主映像のみ減光することにより、副映像部分のみを明るくする。【選択図】      図１
2005079945.tif 000002
【特許請求の範囲】
【請求項１】
主映像データと副映像データとから成る映像データが記録された媒体を再生し、主映像と共に副映像を画面に表示するビデオ再生装置であって、
輝度を下げる減光指示を検出する減光指示検出手段と、
前記減光指示検出手段によって前記減光指示が検出されたときに、前記主映像に対して前記副映像の輝度が相対的に高くなるように、前記主映像データ及び前記副映像データの少なくとも一方に対して輝度レベルの調整を行う輝度レベル調整手段と、
を備えたことを特徴とするビデオ再生装置。
【請求項２】
前記輝度レベル調整手段は、前記減光指示検出手段によって前記画面に入力する映像データの輝度を下げる減光指示が検出されたときに、前記主映像データのみ輝度を下げることを特徴とする請求項１に記載のビデオ再生装置。
【請求項３】
前記輝度レベル調整手段は、前記減光指示検出手段によって前記画面に入力する映像データの輝度を下げる減光指示が検出されたときに、前記主映像データの輝度を下げ、前記副映像データの輝度を上げることを特徴とする請求項１に記載のビデオ再生装置。
【請求項４】
前記輝度レベル調整手段は、前記減光指示検出手段によって前記画面に入力する映像データの輝度を下げる減光指示が検出されたときに、前記主映像データの輝度及び前記副映像データの輝度を下げ、前記主映像データの輝度を下げる度合いを前記副映像データの輝度を下げる度合いよりも大きくすることを特徴とする請求項１に記載のビデオ再生装置。
【請求項５】
前記輝度レベル調整手段は、前記減光指示検出手段によって前記画面の輝度を下げる減光指示が検出されたときに、前記副映像データのみ輝度を上げることを特徴とする請求項１に記載のビデオ再生装置。
【請求項６】
前記輝度レベル調整手段は、前記減光指示検出手段によって前記画面の輝度を下げる減光指示が検出されたときに、前記主映像データの輝度を下げ、前記副映像データの輝度を上げることを特徴とする請求項１に記載のビデオ再生装置。
【請求項７】
前記輝度レベル調整手段は、前記減光指示検出手段によって前記画面の輝度を下げる減光指示が検出されたときに、前記主映像データの輝度及び前記副映像データの輝度を上げ、前記主映像データの輝度を上げる度合いを前記副映像データの輝度を上げる度合いよりも小さくすることを特徴とする請求項１に記載のビデオ再生装置。
【請求項８】
前記副映像が字幕であることを特徴とする請求項１乃至請求項７のいずれか一項に記載のビデオ再生装置。
【請求項９】
主映像データと副映像データとから成る映像データが記録された媒体を再生し、主映像と共に副映像を画面に表示するビデオ再生方法であって、
輝度を下げる減光指示を検出するステップと、
前記減光指示が検出されたときに、前記主映像に対して前記副映像の輝度が相対的に高くなるように、前記主映像データ及び前記副映像データの少なくとも一方に対して輝度レベルの調整を行うステップと、
を備えたことを特徴とするビデオ再生方法。
【発明の詳細な説明】
【技術分野】
【０００１】
本発明は、ビデオ再生装置及びビデオ再生方法に関し、特に、副映像（サブピクチャ）として字幕を記録したビデオデータを再生可能なビデオ再生装置及びビデオ再生方法に用いて好適なものである。
【背景技術】
【０００２】
従来、情報を高密度に記録可能なＤＶＤ（Digital Versatile Disk）が普及しているが、このＤＶＤに映像情報及び音声情報を記録したものとしてＤＶＤビデオディスクが存在している。このＤＶＤビデオディスクには映画本編やドラマ本編等の主映像（メインピクチャ）、それらの字幕である副映像（サブピクチャ）、それらの音声等が記録されている。なお、ＤＶＤビデオの規格では、ＤＶＤビデオディスクに対して、字幕は最大３２言語、音声言語は最大８言語まで記録することができる。
【０００３】
このようなＤＶＤビデオディスクを再生する場合、主映像として記録されている映像をディスプレイに表示すると共に、ＤＶＤビデオディスクに副映像として字幕が記録されているときには、必要に応じて字幕をディスプレイに表示する。このような字幕の情報は、データ圧縮された状態で記録されている。
【０００４】
ところで、上述したＤＶＤビデオディスクを車両で再生する場合、カーナビゲーションシステム等に使用されているディスプレイを兼用することが一般的であった。このようなカーナビゲーションシステムは、自己の現在位置をその周辺の地図と共に画像表示したり、目的地周辺の地図を画像表示したりするためにディスプレイを備えている。このディスプレイは小型である場合が多いので、一般的にバックライトを装着した液晶ディスプレイが使用されている。
【０００５】
通常、カーナビゲーションシステムは昼夜の区別なく使用される。そこで、液晶ディスプレイを使用したカーナビゲーションシステムの中には、周囲の明るさに応じてバックライトの輝度を調整することで表示内容を見易くする機能を備えたものもあった（例えば、特許文献１及び特許文献２参照）。また、ディスプレイにバックライトが装着されていないタイプや、ディスプレイにバックライトが装着されていてもバックライトによる輝度調整を行わないタイプのシステムにおいて、ディスプレイに表示される映像自体の輝度を調整するものもあった。
【特許文献１】特開２００３−１２１１５８号公報
【特許文献２】特開平７−３８９０９号公報
【０００６】
このように、周囲の明るさに応じてディスプレイの輝度を自動調整したり、映像の輝度を自動調整したりするためには、周囲の明るさを判別する必要がある。そのために、ある種のカーナビゲーションシステムでは、夜間やトンネル内等で点灯される車内のいずれかのイルミネーションランプへの印加電圧を検出する電圧検出装置を設け、このイルミネーションランプへの電圧の印加が電圧検出装置によって検出されるときには周囲が暗いという判別を行っていた。
【０００７】
そして、ディスプレイの輝度を自動調整する場合、印加電圧が検出されないときには周囲が明るいとみなし、ディスプレイの輝度を比較的明るくなるように調整し、印加電圧が検出されたときには周囲が暗いとみなし、ディスプレイの輝度を比較的暗くなるように調整していた。また、映像自体の輝度を自動的に調整する場合、印加電圧が検出されないときには周囲が明るいとみなし、映像の輝度を高輝度とし、印加電圧が検出されたときには周囲が暗いとみなし、映像の輝度を低輝度としていた。
【０００８】
なお、ナビゲーションシステムにおいて使用されるＧＰＳ（Global Positioning System）受信機では、ＧＰＳ衛星より送られる時データにより現在時刻情報を得ることができる。そこで、現在時刻情報と、日の出の時刻を表す情報及び日の入りの時刻を表す情報とを利用して昼夜を判別し、昼の場合にはディスプレイを昼間用表示とし、夜の場合にはディスプレイを夜間用表示とすることで、ディスプレイの明るさを自動調整するものもあった（例えば、特許文献３参照）。
【特許文献３】特開平５−１８７６７号公報
【０００９】
更に、ディスプレイや車体等に明るさ検出手段を設け、ここからの明るさ検出信号により、ディスプレイの周囲の明るさを判別するものもあった。
【００１０】
しかしながら、周囲の明るさによって輝度調整を行うカーナビゲーションシステムにおいて、上述したようなＤＶＤビデオディスクを再生する場合、暗い場所ではディスプレイの輝度が下げられてしまったり、ディスプレイに表示される映像の輝度が下げられたりしてしまう。従って、ＤＶＤビデオディスクに記録された主映像だけでなく、副映像として記録されている字幕も輝度が下げられてしまうので、字幕が見辛くなってしまうという問題があった。
【００１１】
この問題を解決するため、字幕を見易くしようとして低輝度への調整をキャンセルしてしまうと、字幕だけでなく主映像も明るくなってしまうので、暗い場所では、ディスプレイが全体的に見辛くなってしまうという問題が生じる。また、ユーザが字幕の見易さを優先し、主映像が明るくなってしまう点については我慢して、低輝度への調整をキャンセルしたとしても、ＤＶＤビデオディスクの再生中にそれ以外の用途、例えばカーナビゲーションシステムに切り替えたときに、ディスプレイが明るくなりすぎて見辛くなってしまうという問題があった。
【発明の開示】
【発明が解決しようとする課題】
【００１２】
本発明は、このような問題を解決するために成されたものであり、主映像と共に再生された字幕を暗い場所でも見易くすることを目的とする。
【課題を解決するための手段】
【００１３】
上記した課題を解決するために、本発明では、主映像データと副映像データとから成る映像データが記録された媒体を再生し、主映像と共に副映像を画面に表示する場合において、輝度を下げる減光指示が検出されたときに、主映像に対して副映像の輝度が相対的に高くなるように、主映像データ及び副映像データの少なくとも一方に対して輝度レベルの調整を行うようにしている。
【発明の効果】
【００１４】
上記のように構成した本発明によれば、暗い場所等の環境に置かれた表示系デバイスの画面に表示される映像が明る過ぎて見辛くならないように、表示系デバイスの輝度又は表示系デバイスに表示される映像の輝度を下げる場合に、映像中に主映像の他に副映像（例えば字幕）が含まれるときでも、減光された主映像に比べて副映像が高輝度となるように調整されることにより、暗い場所でも副映像を見易くすることができる。
【発明を実施するための最良の形態】
【００１５】
以下、本発明の一実施形態を図面に基づいて説明する。図１は本実施形態によるビデオ再生装置の構成を示すブロック図であり、本実施形態においてはＤＶＤビデオ再生装置としている。
【００１６】
図１において、１は主映像データ及び副映像データ（本実施形態では字幕とする）の少なくとも一方の輝度を調整するための輝度レベル調整部、２は液晶ディスプレイ等の表示系デバイス、１０は装置に装填されたＤＶＤビデオディスク、１１はＤＶＤビデオディスク１０を回転させるスピンドルモータである。１２は光ピックアップであり、ＤＶＤビデオディスク１０にレーザ光を照射し、その反射光によってＤＶＤビデオディスク１０に記録されているデータを読み出す。そして、読み出したデータに対応する再生ＲＦ信号を得る。
【００１７】
１３は送りモータであり、光ピックアップ１２が搭載されたスレッド（図示せず）をＤＶＤビデオディスク１０の半径方向に移動させ、再生位置を決定する。１４はサーボ制御部であり、後述するシステムコントローラ３０等から供給される制御信号に応じて、スピンドルモータ１１の回転制御、光ピックアップ１２のトラッキング制御及びフォーカス制御、送りモータ１３の駆動制御を行う。
【００１８】
１５はＲＦアンプであり、光ピックアップ１２から出力されたＲＦ信号を増幅して次段に伝達する。このＲＦアンプ１５はまた、ＲＦ信号からフォーカスサーチ及びトラッキングの制御信号（レーザ光の焦点位置に関してＤＶＤビデオディスク１０に垂直な方向及び平行な方向のずれを補正するための信号）を分離して、これらの制御信号をサーボ制御部１４に送る。サーボ制御部１４は、これらの制御信号に基づいてレーザ光の焦点位置を垂直な方向及び平行な方向にサーボ制御することにより、データの再生を正確に行うように構成されている。
【００１９】
１６はデジタル信号処理部であり、ＲＦアンプ１５により増幅されたＲＦ信号をデジタル信号処理し、一部の制御信号を分離する。分離された制御信号は、サーボ制御部１４及び後述するシステムコントローラ３０に送られる。１７はＲＡＭであり、デジタル信号処理部１６により行われる信号処理の過程で得られるデータや、その処理の結果得られるデータを一時的に格納する。
【００２０】
１８はストリーム分離部であり、デジタル信号処理部１６から出力された信号を、オーディオビットストリーム、メインピクチャ（主映像）ビットストリーム及びサブピクチャ（副映像）ビットストリームに分離する。ここで、メインピクチャビットストリームはＭＰＥＧ２のフォーマットに従って圧縮された信号であり、この中には映像情報が含まれる。また、サブピクチャビットストリームはランレングス圧縮方式に従って圧縮された信号であり、この中には字幕情報が含まれる。
【００２１】
１９はオーディオデコーダであり、ストリーム分離部１８で分離されたオーディオビットストリームを復号化処理して、デジタルオーディオ信号を出力する。このオーディオデコーダ１９は、オーディオ信号の種類（リニアＰＣＭ、ＡＣ−３及びＭＰＥＧオーディオ等）に応じた復号化処理を実施する。２０はＲＡＭであり、オーディオデコーダ１９により行われる復号化処理の過程で得られるデータや、その処理の結果得られるデータを一時的に格納する。
【００２２】
２１はＤ／Ａ変換器であり、オーディオデコーダ１９により出力されたデジタルオーディオ信号をアナログオーディオ信号に変換する。Ｄ／Ａ変換器２１により出力されたアナログオーディオ信号は、パワーアンプ（図示せず）を介してスピーカ（図示せず）より出力される。
【００２３】
２２はビデオデコーダであり、ストリーム分離部１８で分離されたメインピクチャビットストリームを復号化処理する。２３はＲＡＭであり、ビデオデコーダ２２により行われる復号化処理の過程で得られるデータや、その処理の結果得られるデータを一時的に格納する。
【００２４】
２４はサブピクチャデコーダであり、ストリーム分離部１８で分離されたサブピクチャビットストリームを復号化処理する。２５はＲＡＭであり、サブピクチャデコーダ２４により行われる復号化処理の過程で得られるデータや、その処理の結果得られるデータを一時的に格納する。
【００２５】
２８は種々の操作ボタン等が設けられた操作部であり、再生、停止、早送り、ボリューム設定等の各種操作を行うことができるようになっている。この操作部２８は、ユーザが希望する音声・字幕情報をＤＶＤビデオ再生装置に初期設定したり、ＤＶＤビデオ再生装置からの問い合わせに応答して音声・字幕情報の設定変更を指示したりする際にも使用することができる。
【００２６】
システムコントローラ３０は、操作部２８からの信号、デジタル信号処理部１６からの信号及びストリーム分離部１８からの信号に基づいて、サーボ制御部１４、デジタル信号処理部１６、ストリーム分離部１８及びビデオプロセッサ２６を制御する。
【００２７】
また、システムコントローラ３０は、外部からの減光指示信号を入力可能であり、減光指示検出手段としての働きをしている。減光指示信号は、電圧検出装置（図示せず）がイルミネーションランプへの印加電圧を検出したり、ナビゲーション装置（図示せず）がＧＰＳ衛星より送られる時データにより現在時刻情報を得て夜と判断したり、表示系デバイス２等に設けた明るさ検出手段（図示せず）により、表示系デバイス２の周囲が所定の明るさ以下であると判断したりしたときに入力される。なお、減光指示信号は、ユーザが表示系デバイス２の周囲が暗いと判断して操作部２８を操作することで入力されるようにしても良い。
【００２８】
このように、システムコントローラ３０が減光指示信号を検出すると、この検出に従って輝度レベル調整部１を制御する。
【００２９】
輝度レベル調整部１は、ビデオデコーダ２２及びサブピクチャデコーダ２４の次段に設けられており、主映像データ（メインピクチャ）及び副映像データ（サブピクチャ）の少なくとも一方の輝度レベルを調整するためのものである。この輝度レベル調整部１は、主映像データの輝度レベルと副映像データの輝度レベルとを個別に調整することが可能である。この輝度レベル調整部１は、表示系デバイス２に表示される副映像（ここでは字幕）を目立たせるように動作する。その方法として、例えば下記の方法が考えられる。
【００３０】
１−１．表示系デバイス２が液晶ディスプレイであり、この液晶ディスプレイがバックライトを備えている場合、減光指示信号によってバックライトの輝度が下げられるとき、輝度レベル調整部１では主映像データの輝度レベルを変更せず、副映像データの輝度レベルを上げる処理を行う。
【００３１】
１−２．表示系デバイス２が液晶ディスプレイであり、この液晶ディスプレイがバックライトを備えている場合、減光指示信号によってバックライトの輝度が下げられるとき、輝度レベル調整部１では主映像データの輝度レベルを下げ、副映像データの輝度レベルを上げる処理を行う。これは、減光指示信号によってバックライトの輝度があまり下げられなかった場合に特に有効である。
【００３２】
１−３．表示系デバイス２が液晶ディスプレイであり、この液晶ディスプレイがバックライトを備えている場合、減光指示信号によってバックライトの輝度が下げられるとき、輝度レベル調整部１では主映像データの輝度レベルを少し上げ、副映像データの輝度レベルをそれよりも大きく上げる処理を行う。これは、減光指示信号によってバックライトの輝度が大きく下げられた場合に特に有効である。
【００３３】
２−１．減光指示信号が映像データそのものの輝度を調整することを指示するものの場合、すなわち、減光指示信号によって液晶ディスプレイのバックライトの輝度調整を行わない場合、又は、表示系デバイス２がバックライトを備えていない場合、輝度レベル調整部１では主映像データの輝度レベルを下げる処理を行い、副映像データの輝度レベルの変更は行わない。
【００３４】
２−２．減光指示信号が映像データそのものの輝度を調整することを指示するものの場合、すなわち、減光指示信号によって液晶ディスプレイのバックライトの輝度調整を行わない場合、又は、表示系デバイス２がバックライトを備えていない場合、輝度レベル調整部１では主映像データの輝度レベルを下げると共に、副映像データの輝度レベルを上げる処理を行う。これは、副映像をより目立たせたい場合に特に有効である。
【００３５】
２−３．減光指示信号が映像データそのものの輝度を調整することを指示するものの場合、すなわち、減光指示信号によって液晶ディスプレイのバックライトの輝度調整を行わない場合、又は、表示系デバイス２がバックライトを備えていない場合、輝度レベル調整部１では副映像データの輝度レベルを少し下げ、主映像データの輝度レベルをそれよりも大きく下げる処理を行う。映像全体の輝度レベルをより下げたい場合に特に有効である。
【００３６】
このような方法により輝度レベルが調整された主映像データ及び副映像データは次段のビデオプロセッサ２６へ送られる。ビデオプロセッサ２６では、ビデオデコーダ２２及びサブピクチャデコーダ２４から出力され、輝度レベル調整部１によって輝度レベルが調整された主映像データ及び副映像データをデジタル合成する。２７はビデオエンコーダであり、ビデオプロセッサ２６から出力されたデジタル画像信号をアナログ画像信号に変換する。このビデオエンコーダ２７から出力された画像信号は、表示系デバイス２に送られ、主映像は暗い場所等での表示に適した映像でありながら、字幕が見易い画像が表示される。
【００３７】
３１はＲＡＭであり、システムコントローラ３０により行われる処理の過程で得られるデータや、その処理の結果得られるデータを一時的に格納する。また、システムコントローラ３０には、システムパラメータ格納部（図示せず）及びジェネラルパラメータ格納部（図示せず）が設けられている。
【００３８】
システムパラメータ格納部は、ＤＶＤビデオ規格において規定されているシステムパラメータＳＰを格納することが可能な複数個のレジスタから構成されている。そして、システムパラメータＳＰは２１個設けられており、それぞれ１６ビットの０以上の整数値（０〜６５５３５）をとる。
【００３９】
ジェネラルパラメータ格納部は、ＤＶＤビデオ規格において規定されているジェネラルパラメータＧＰを格納することが可能な複数個のレジスタから構成されている。そして、ジェネラルパラメータＧＰは１６個設けられており、それぞれ１６ビットの０以上の整数値（０〜６５５３５）をとる。
【００４０】
１６個のジェネラルパラメータＧＰは全て、ユーザが自由に値を設定したり、書き換えたりすることが可能なパラメータである。一方、システムパラメータＳＰは、ＤＶＤビデオディスク１０の再生状態を保持するためのもので、２１個のシステムパラメータＳＰのうち、値を書き換えることが可能なものは以下の４つのみである。
【００４１】
一つ目は、オーディオストリーム番号の表示であり、０〜７までの指定が可能である。二つ目は、サブピクチャストリーム番号０〜３１及びそのオン／オフを指定するものである。三つ目は、アングルストリーム番号であり、１〜９までの指定が可能である。四つ目は、メニュー用の画面を選択する番号である。
【００４２】
ここで、ＤＶＤビデオディスク１０に記録されているデータの構造を説明する。ＤＶＤビデオディスク１０には、図２（ａ）に示す一つのビデオマネージャ（ＶＭＧ）と、図２（ｂ）に示す一つ又は複数のビデオタイトルセット（ＶＴＳ）とが記録されている。
【００４３】
図２（ａ）に示すように、ビデオマネージャ（ＶＭＧ）は、先頭におかれるビデオマネージャ情報（ＶＭＧＩ）と、ＶＭＧメニュー用ビデオオブジェクトセット（ＶＭＧＭ＿ＶＯＢＳ）と、末尾におかれるバックアップ用ビデオマネージャ情報（ＶＭＧＩ）とにより構成されている。先頭のビデオマネージャ情報（ＶＭＧＩ）は、ＤＶＤビデオ全体についての制御情報である。また、ＶＭＧメニュー用ビデオオブジェクトセット（ＶＭＧＭ＿ＶＯＢＳ）は、タイトル選択メニューのためのコンテンツである。
【００４４】
また、図２（ｂ）に示すように、ビデオタイトルセット（ＶＴＳ）は、先頭におかれるビデオタイトルセット情報（ＶＴＳＩ）と、ＶＴＳメニュー用ビデオオブジェクトセット（ＶＴＳＭ＿ＶＯＢＳ）と、ＶＴＳタイトル用ビデオオブジェクトセット（ＶＴＳＴＴ＿ＶＯＢＳ）と、末尾におかれるバックアップ用ビデオタイトルセット情報（ＶＴＳＩ）とにより構成されている。
【００４５】
先頭のビデオタイトルセット情報（ＶＴＳＩ）は、そのビデオタイトルセット（ＶＴＳ）に対する制御情報である。また、ＶＴＳメニュー用ビデオオブジェクトセット（ＶＴＳＭ＿ＶＯＢＳ）は、ビデオタイトルセット（ＶＴＳ）内の各種メニューのためのコンテンツであり、ＶＴＳタイトル用ビデオオブジェクトセット（ＶＴＳＴＴ＿ＶＯＢＳ）は、タイトル再生のためのコンテンツである。
【００４６】
図２に示すように、再生制御情報（ＰＣＩ：Presentation Control Information）とデータサーチ情報（ＤＳＩ：Data Search Information）とが、映像や音声等のデータ（プレゼンテーションデータ）と共にビデオオブジェクトセット（ＶＯＢＳ）内に分配配置されている。この再生制御情報（ＰＣＩ）及びデータサーチ情報（ＤＳＩ）と、上述のビデオマネージャ情報（ＶＭＧＩ）及びビデオタイトルセット情報（ＶＴＳＩ）とは、プレゼンテーションデータの属性と再生制御に関するナビゲーションデータと呼ばれる。
【００４７】
図３に示すように、ビデオマネージャ情報（ＶＭＧＩ）は、ビデオマネージャ情報管理テーブル（ＶＭＧＩ＿ＭＡＴ）、タイトルサーチポインタテーブル（ＴＴ＿ＳＲＰＴ）、ビデオマネージャメニューＰＧＣＩユニットテーブル（ＶＭＧＭ＿ＰＧＣＩ＿ＵＴ）、パレンタル管理情報テーブル（ＰＴＬ＿ＭＡＩＴ）、ビデオタイトルセット属性情報テーブル（ＶＴＳ＿ＡＴＲＴ）、テキストデータマネージャ（ＴＸＴＤＴ＿ＭＧ）、ビデオマネージャメニューセルアドレステーブル（ＶＭＧＭ＿Ｃ＿ＡＤＴ）、ビデオマネージャメニュービデオオブジェクトユニットアドレスマップ（ＶＭＧＭ＿ＶＯＢＵ＿ＡＤＭＡＰ）により構成されている。
【００４８】
これらのうち、タイトルサーチポインタテーブル（ＴＴ＿ＳＲＰＴ）には、タイトルプレイバックタイプ（ＴＴ＿ＰＢ＿ＴＹ）、アングル数（ＡＧＬ＿Ｎｓ）、パートオブタイトルの数（ＰＴＴ＿Ｎｓ）、タイトル用パレンタルＩＤフィールド（ＴＴ＿ＰＴＬ＿ＩＤ＿ＦＬＤ）、ＶＴＳ番号（ＶＴＳＮ）、ＶＴＳタイトル番号（ＶＴＳ＿ＴＴＮ）及びビデオタイトルセットの先頭アドレス（ＶＴＳ＿ＳＡ）が記録されている。
【００４９】
図４に示すように、ビデオタイトルセット情報（ＶＴＳＩ）は、ビデオタイトルセット情報管理テーブル（ＶＴＳＩ＿ＭＡＴ）、ビデオタイトルセットＰＴＴサーチポインタテーブル（ＶＴＳ＿ＰＴＴ＿ＳＲＰＴ）、ビデオタイトルセットプログラムチェーン情報テーブル（ＶＴＳ＿ＰＧＣＩＴ）、ビデオタイトルセットメニューＰＧＣＩユニットテーブル（ＶＴＳＭ＿ＰＧＣＩ＿ＵＴ）、ビデオタイトルセットタイムマップテーブル（ＶＴＳ＿ＴＭＡＰＴ）、ビデオタイトルセットセルアドレステーブル（ＶＴＳＭ＿Ｃ＿ＡＤＴ）、ビデオタイトルセットメニュービデオオブジェクトユニットアドレスマップ（ＶＴＳＭ＿ＶＯＢＵ＿ＡＤＭＡＰ）、ビデオタイトルセットセルアドレステーブル（ＶＴＳ＿Ｃ＿ＡＤＴ）及びビデオタイトルセットビデオオブジェクトユニットアドレスマップ（ＶＴＳ＿ＶＯＢＵ＿ＡＤＭＡＰ）により構成されている。
【００５０】
これらのうち、ビデオタイトルセット情報管理テーブル（ＶＴＳＩ＿ＭＡＴ）には、ビデオタイトルセットメニュー（ＶＴＳＭ）のオーディオストリーム数（ＶＴＳＭ＿ＡＳＴ＿Ｎｓ）、ビデオタイトルセットメニュー（ＶＴＳＭ）のサブピクチャストリーム数（ＶＴＳＭ＿ＳＰＳＴ＿Ｎｓ）及びビデオタイトルセット（ＶＴＳ）のサブピクチャストリーム数（ＶＴＳ＿ＳＰＳＴ＿Ｎｓ）が記録されている。
【００５１】
また、上述のビデオマネージャ情報（ＶＭＧＩ）及びビデオタイトルセット情報（ＶＴＳＩ）の中には、プログラムチェーン情報（ＰＧＣＩ）が記述されている。このプログラムチェーン情報（ＰＧＣＩ）は、プログラムチェーン（ＰＧＣ）の再生を制御するためのナビゲーションデータである。
【００５２】
図５に示すように、プログラムチェーン情報（ＰＧＣＩ）は、プログラムチェーン一般情報（ＰＧＣ＿ＧＩ）、プログラムチェーンコマンドテーブル（ＰＧＣ＿ＣＭＤＴ）、プログラムチェーンプログラムマップ（ＰＧＣ＿ＰＧＭＡＰ）、セル再生情報テーブル（Ｃ＿ＰＢＩＴ）及びセル位置情報テーブル（Ｃ＿ＰＯＳＩＴ）により構成されている。
【００５３】
図６に示すように、プログラムチェーン一般情報（ＰＧＣ＿ＧＩ）は、ＰＧＣ内容（ＰＧＣ＿ＣＮＴ）、ＰＧＣ再生時間（ＰＧＣ＿ＰＢ＿ＴＭ）、ＰＧＣユーザ操作制御（ＰＧＣ＿ＵＯＰ＿ＣＴＬ）、ＰＧＣオーディオストリーム制御テーブル（ＰＧＣ＿ＡＳＴ＿ＣＴＬＴ）、ＰＧＣサブピクチャストリーム制御テーブル（ＰＧＣ＿ＳＰＳＴ＿ＣＴＬＴ）、ＰＧＣナビゲーションコントロール（ＰＧＣ＿ＮＶ＿ＣＴＬ）、ＰＧＣサブピクチャパレット（ＰＧＣ＿ＳＰ＿ＰＬＴ）、ＰＧＣ＿ＣＭＤＴの先頭アドレス（ＰＧＣ＿ＣＭＤＴ＿ＳＡ）、ＰＧＣ＿ＰＧＭＡＰの先頭アドレス（ＰＧＣ＿ＰＧＭＡＰ＿ＳＡ）、Ｃ＿ＰＢＩＴの先頭アドレス（Ｃ＿ＰＢＩＴ＿ＳＡ）及びＣ＿ＰＯＳＩＴの先頭アドレス（Ｃ＿ＰＯＳＩＴ＿ＳＡ）により構成されている。
【００５４】
これらのうち、ＰＧＣユーザ操作制御（ＰＧＣ＿ＵＯＰ＿ＣＴＬ）には，当該プログラムチェーンの再生中に禁止されるユーザ操作が記述されている。すなわち、このＰＧＣユーザ操作制御（ＰＧＣ＿ＵＯＰ＿ＣＴＬ）は４バイト（３２ビット）のデータであり、各ビット（リザーブのビットを除く）がそれぞれ字幕切り替え、音声切り替え及びアングル切り替え等のユーザ操作に割り当てられている。
【００５５】
ビットの値が“０”のときは当該ユーザ操作が許可され、“１”のときは当該ユーザ操作が禁止されていることを意味している。従って、このＰＧＣユーザ操作制御（ＰＧＣ＿ＵＯＰ＿ＣＴＬ）の操作内容に応じたビットの値を参照することにより、音声や字幕の切り替えがＤＶＤビデオディスク１０の製作者によって禁止されているか否かがわかる。
【００５６】
また、ＰＧＣオーディオストリーム制御テーブル（ＰＧＣ＿ＡＳＴ＿ＣＴＬＴ）は、０から７までのオーディオストリームに関するデータである。そして、各オーディオストリームに２バイトが割り当てられている。各オーディオストリームの最初の１ビットが有効性フラグで、この有効性フラグが“１”のときは当該プログラムチェーン内で有効を示し、“０”のときは当該プログラムチェーン内で無効を示している。従って、ＰＧＣオーディオストリーム制御テーブル（ＰＧＣ＿ＡＳＴ＿ＣＴＬＴ）を参照することにより、プログラムチェーン内で利用できるオーディオストリームの数を知ることができる。
【００５７】
また、ＰＧＣサブピクチャストリーム制御テーブル（ＰＧＣ＿ＳＰＳＴ＿ＣＴＬＴ）は、０から３１までの副映像に関するデータである。各サブピクチャストリームに４バイトが割り当てられており、最初の１ビットが有効性フラグである。この有効性フラグが“１”のときは当該プログラムチェーン内で有効を示し、“０”のときは当該プログラムチェーン内で無効を示している。従って、ＰＧＣサブピクチャストリーム制御テーブル（ＰＧＣ＿ＳＰＳＴ＿ＣＴＬＴ）を参照することにより、プログラムチェーン内で利用できる副映像（ここでは字幕）の数を知ることができる。また、ＰＧＣサブピクチャパレット（ＰＧＣ＿ＳＰ＿ＰＬＴ）は、字幕の表示色に関するデータであり、その表示色は１６色まで設定可能である。
【００５８】
上述の再生制御情報（ＰＣＩ）は、ビデオプロジェクトユニット（ＶＯＢＵ）の再生を制御するナビゲーションデータである。この再生制御情報（ＰＣＩ）は、図７に示すように、ＰＣＩ一般情報（ＰＣＩ＿ＧＩ）、非シームレス用アングル情報（ＮＳＭＬ＿ＡＧＬＩ）、ハイライト情報（ＨＬＩ）及び記録情報（ＲＥＣＩ）により構成されている。
【００５９】
これらのうち、ＰＣＩ一般情報（ＰＣＩ＿ＧＩ）は、図８に示すように、ナビゲーションパックのＬＢＮ（ＮＶ＿ＰＣＫ＿ＬＢＮ）、ＶＯＢＵのカテゴリ（ＶＯＢＵ＿ＣＡＴ）、ＶＯＢＵのユーザ操作情報（ＶＯＢＵ＿ＵＯＰ＿ＣＴＬ）、ＶＯＢＵの開始ＰＴＭ（再生開始時刻：ＶＯＢＵ＿Ｓ＿ＰＴＭ）、ＶＯＢＵの終了ＰＴＭ（再生終了時刻：ＶＯＢＵ＿Ｅ＿ＰＴＭ）、ＶＯＢＵ内シーケンスエンドの終了ＰＴＭ（再生終了時刻：ＶＯＢＵ＿ＳＥ＿Ｅ＿ＰＴＭ）及びセル内経過時間（Ｃ＿ＥＬＴＭ）により構成されている。
【００６０】
ＶＯＢＵのユーザ操作制御（ＶＯＢＵ＿ＵＯＰ＿ＣＴＬ）には、当該再生制御情報（ＰＣＩ）が含まれるビデオオブジェクトユニット（ＶＯＢＵ）の再生期間中に禁止されるユーザ操作が記述されている。すなわち、このＶＯＢＵのユーザ操作制御（ＶＯＢＵ＿ＵＯＰ＿ＣＴＬ）は４バイト（３２ビット）のデータであり、各ビット（リザーブビットを除く）がそれぞれ字幕切り替え、音声切り替え、及びアングル切り替え等のユーザ操作に割り当てられている。
【００６１】
ビットの値が“０”のときは当該ユーザ操作が許可され、ビットの値が“１”のときは当該ユーザ操作が禁止されていることを意味している。従って、このＶＯＢＵのユーザ操作制御（ＶＯＢＵ＿ＵＯＰ＿ＣＴＬ）の操作内容に応じたビットの値を参照することにより、音声や字幕の切り替えがＤＶＤビデオディスク１０の製作者によって禁止されているか否かがわかる。
【００６２】
次に、上記のように構成された本実施形態によるビデオ再生装置の動作について説明する。図９は、本実施形態の要部における再生制御動作を示すフローチャートである。この図９では一例として、上述した２−２．の動作例を示している。以下、この図に基づいて説明する。
【００６３】
システムコントローラ３０は、ＤＶＤビデオディスク１０の再生が開始されると、外部からの減光指示信号を入力したか否かを判別する（ステップＳ１）。この減光指示信号が入力されるトリガについては上述した通りである。そして、システムコントローラ３０に減光指示信号が入力しなかった場合には（ステップＳ１にてＮＯ）、ビデオデコーダ２２からの主映像データ及びサブピクチャデコーダ２４からの副映像データ（ここでは字幕データ）とをそのままビデオプロセッサ２６にて合成して（ステップＳ５）、この合成したデジタル画像信号をビデオエンコーダ２７でアナログ画像信号に変換して表示系デバイス２に画像を出力する（ステップＳ６）。
【００６４】
一方、システムコントローラ３０に減光指示信号が入力した場合には（ステップＳ１にてＹＥＳ）、システムコントローラ３０は、システムパラメータ格納部に格納されたＰＧＣサブピクチャストリーム制御テーブル（ＰＧＣ＿ＳＰＳＴ＿ＣＴＬＴ）のデータを読み取る。上述のように、ＰＧＣサブピクチャストリーム制御テーブル（ＰＧＣ＿ＳＰＳＴ＿ＣＴＬＴ）の最初の１ビットは有効性フラグであり、この有効性フラグが“１”のときは有効を示し、“０”のときは無効を示している。従って、ＰＧＣサブピクチャストリーム制御テーブル（ＰＧＣ＿ＳＰＳＴ＿ＣＴＬＴ）を参照することにより、字幕を表示するか、字幕を表示しないかを判別することができる（ステップＳ２）。
【００６５】
そして、システムコントローラ３０が字幕を表示しないと判別したときには（ステップＳ２にてＯＦＦ）、輝度レベル調整部１によって主映像データの輝度レベルを下げる（ステップＳ４）。この場合は、字幕が表示されないので、主映像データと字幕データとを合成するステップＳ５を省略して、主映像のデジタル画像信号をビデオエンコーダ２７でアナログ画像信号に変換して表示系デバイス２に画像を出力する（ステップＳ６）。なお、ここでは主映像データの輝度レベルを下げているが、字幕がないときには表示系デバイス２に備えられたバックライトの輝度を下げても良い。
【００６６】
一方、システムコントローラ３０が字幕を表示すると判別したときには（ステップＳ２にてＯＮ）、プログラムチェーン一般情報（ＰＧＣ＿ＧＩ）のＰＧＣサブピクチャパレット（ＰＧＣ＿ＳＰ＿ＰＬＴ）の輝度に該当する部分の値を変更して、輝度レベル調整部１に送る。輝度レベル調整部１では、サブピクチャデコーダ２４から出力される字幕データの輝度レベルを、ＰＧＣサブピクチャパレット（ＰＧＣ＿ＳＰ＿ＰＬＴ）にて設定した値に変更する（ステップＳ３）。ここで、輝度レベルの設定値は、１６〜２３５の間で設定可能であるが、ほとんどのＤＶＤビデオディスク１０で字幕の輝度値は１９０〜２００に設定されている。そのため、字幕の輝度を１０〜２０％上げることが可能である。
【００６７】
更に、輝度レベル調整部１により主映像データの輝度出力振幅レベルを所定の量だけ減少させる（ステップＳ４）。そして、輝度レベル調整部１より出力される主映像データ及び字幕データをビデオプロセッサ２６により合成し（ステップＳ５）、その合成したデジタル画像をビデオエンコーダ２７によりアナログ画像に変換した後、そのアナログ画像を表示系デバイス２へ出力する（ステップＳ６）。これにより、表示系デバイス２では、主映像が暗い場所等での表示に適した輝度の下げられた映像となり、しかも字幕が見易い映像となって表示される。
【００６８】
以上、詳しく説明したように、本実施形態によれば、ＤＶＤビデオディスク１０の再生開始時に減光指示の有無及び再生される映像に字幕が存在するかを検出して、字幕の存在する映像に対して減光指示が成されたときでも、主映像の輝度と字幕の輝度とを個別に調整するようにしたので、字幕の見易さを損なうことなく主映像の輝度レベルを低くすることができ、暗い場所でも字幕付きの映像を見やすくすることができる。
【００６９】
なお、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【００７０】
例えば、本発明のビデオ再生装置がＤＶＤ以外の記録媒体を使用したビデオ再生装置であっても良いことはもちろんである。また、副映像の内容は字幕に限らず、例えばメニューボタン中の文字や図形、簡単な静止画や動画であっても良い。
【産業上の利用可能性】
【００７１】
本発明は、暗い場所で使用されることがあるディスプレイに字幕付きの映像を再生する、例えば車載用ＤＶＤビデオ再生装置に有用である。
【図面の簡単な説明】
【００７２】
【図１】本実施形態によるビデオ再生装置の構成例を示すブロック図である。
【図２】ビデオマネージャ（ＶＭＧ）及びビデオタイトルセット（ＶＴＳ）のデータ構造を示す図である。
【図３】ビデオマネージャ情報（ＶＭＧＩ）のデータ構造を示す図である。
【図４】ビデオタイトルセット情報（ＶＴＳＩ）のデータ構造を示す図である。
【図５】プログラムチェーン情報（ＰＧＣＩ）のデータ構造を示す図である。
【図６】プログラムチェーン一般情報（ＰＧＣ＿ＧＩ）のデータ構造を示す図である。
【図７】再生制御情報（ＰＣＩ）のデータ構造を示す図である。
【図８】ＰＣＩ一般情報（ＰＣＩ＿ＧＩ）のデータ構造を示す図である。
【図９】本実施形態のビデオ再生方法の動作例を示すフローチャートである。
【符号の説明】
【００７３】
１    輝度レベル調整部
２    表示系デバイス
１０    ＤＶＤビデオディスク
２２    ビデオデコーダ
２４    サブピクチャデコーダ
２６    ビデオプロセッサ
２７    ビデオエンコーダ
２８    操作部
３０    システムコントローラ（減光指示検出手段）
【図１】
2005079945.tif 000003
【図２】
2005079945.tif 000004
【図３】
2005079945.tif 000005
【図４】
2005079945.tif 000006
【図５】
2005079945.tif 000007
【図６】
2005079945.tif 000008
【図７】
2005079945.tif 000009
【図８】
2005079945.tif 000010
【図９】
2005079945.tif 000011